(57)【特許請求の範囲】
【請求項１】
シ−トを載せると共に、前記シ−トを加熱する第１の部材と、この第１の部材に対向し、前記第１の部材上の前記シ−トに当接する第２の部材と、前記第１の部材上の前記シ−トに前記第２の部材を当接、離間させる移動手段と、前記第１の部材の上面に開口した開口部を有し、この開口部に連通してエア−を吸引するエア−吸引通路を前記第１の部材に設け、前記シートは、パルプ懸濁液に含まれる繊維で形成され、異物を付着させたものか、又は、濾紙にパルプ懸濁液を通して、前記濾紙上にパルプ懸濁液に含まれる繊維と異物を付着させたものの何れかであり、前記開口部は、前記第１の部材上の前記シ−トの中心よりは前記シ−トの外周に近い側に位置すると共に、複数設けられていることを特徴とするシ−ト加熱装置。
【請求項２】
シ−トを載せると共に、前記シ−トを加熱する第１の部材と、この第１の部材に対向し、前記第１の部材上の前記シ−トに当接する第２の部材と、前記第１の部材上の前記シ−トに前記第２の部材を当接、離間させる移動手段と、前記第１の部材の上面に開口した開口部を有し、この開口部に連通してエア−を吸引するエア−吸引通路を前記第１の部材に設け、前記シートは、濾紙にパルプ懸濁液を通して、前記濾紙上にパルプ懸濁液に含まれる繊維と異物を付着させたものであり、前記開口部は、前記第１の部材上の前記シ−トの中心よりは前記シ−トの外周に近い側に位置すると共に、複数設けられ、前記エア−吸引通路は前記複数の開口部に連通するように環状に設けられた環状部と、この環状部に連通する直線部を有していることを特徴とするシ−ト加熱装置。
【発明の詳細な説明】
【０００１】
本発明は、シ−ト加熱装置に係り、特に、シ−トの離脱に伴うシ−ト面への損傷を減少させることができるシ−ト加熱装置に関する。
【０００２】
【従来の技術】
従来、パルプ懸濁液の状態を識別するために、識別するパルプ懸濁液でシ−トを形成したり、又は、濾紙にパルプ懸濁液を通してシ−トを形成している。
シ−トを形成する装置として、例えば、特開2002-4189 号公報記載のものがある。
この装置においては、特開2002-4189 号公報の図１４乃至図１６に示すように、透水性シ−ト（Ｓ1)を当接部（40）とシ−ト排出部（28）で挟んだ状態で加熱して透水性シ−ト（Ｓ1)を乾燥させ、当接部（40）をシ−ト排出部（28）より離れるように移動させて、シ−ト排出部（28）上から透水性シ−ト（Ｓ1)を取り出すようにしている。
当接部（40）をシ−ト排出部（28）より離れるように移動させる際、当接部（40）の中心に設けたエア−吹き出し口（42）よりエア−を吹き出させ、加熱部材面に付着したシ−トを離脱させるようにしている。
【発明が解決しようとする課題】
しかしながら、エア−を吹き出す際、エア−吹き出し口（42）を開くために、エア−吹き出し口（42）を有する弁体(44)がシ−ト排出部（28）上の透水性シ−ト（Ｓ1)を押し付けるために、透水性シ−ト（Ｓ1)に損傷が生じ、しかも、その損傷部位が透水性シ−ト（Ｓ1)の中心に位置し、パルプ懸濁液の状態識別に支障を来すという問題点が生じた。
【発明が解決しようとする課題】
本発明は、上述した問題点を考慮してなされたもので、シ−トの離脱に伴うシ−ト面への損傷を減少させることができるシ−ト加熱装置を提供するものである。
【０００３】
【課題を解決するための手段】
上記目的を達成するために、請求項１記載のシ−ト加熱装置は、シ−トを載せると共に、前記シ−トを加熱する第１の部材と、この第１の部材に対向し、前記第１の部材上の前記シ−トに当接する第２の部材と、前記第１の部材上の前記シ−トに前記第２の部材を当接、離間させる移動手段と、前記第１の部材の上面に開口した開口部を有し、この開口部に連通してエア−を吸引するエア−吸引通路を前記第１の部材に設け、前記シートは、パルプ懸濁液に含まれる繊維で形成され、異物を付着させたものか、又は、濾紙にパルプ懸濁液を通して、前記濾紙上にパルプ懸濁液に含まれる繊維と異物を付着させたものの何れかであり、前記開口部は、前記第１の部材上の前記シ−トの中心よりは前記シ−トの外周に近い側に位置すると共に、複数設けられているものである。
【０００４】
また、請求項２記載のシ−ト加熱装置は、シ−トを載せると共に、前記シ−トを加熱する第１の部材と、この第１の部材に対向し、前記第１の部材上の前記シ−トに当接する第２の部材と、前記第１の部材上の前記シ−トに前記第２の部材を当接、離間させる移動手段と、前記第１の部材の上面に開口した開口部を有し、この開口部に連通してエア−を吸引するエア−吸引通路を前記第１の部材に設け、前記シートは、濾紙にパルプ懸濁液を通して、前記濾紙上にパルプ懸濁液に含まれる繊維と異物を付着させたものであり、前記開口部は、前記第１の部材上の前記シ−トの中心よりは前記シ−トの外周に近い側に位置すると共に、複数設けられ、前記エア−吸引通路は前記複数の開口部に連通するように環状に設けられた環状部と、この環状部に連通する直線部を有しているものである。
【０００５】
【実施例】
本発明の一実施例のシ−ト加熱装置を図面を参照して説明する。
図１乃至図６において、Ａはシ−ト加熱装置で、シ−ト加熱装置Ａは、例えば、シート１を加熱して乾燥させるもので、シート１は、パルプ懸濁液に含まれる繊維で形成され、異物を付着させたものか、又は、濾紙にパルプ懸濁液を通して、前記濾紙上にパルプ懸濁液に含まれる繊維と異物を付着させたもので、製紙製造ラインでパルプ懸濁液の状態を識別する際に使用されるものである。
なお、図６にシ−ト加熱装置Ａで加熱、乾燥させたシート１を示し、１ａは、パルプ懸濁液に含まれている繊維を、１ｂは、パルプ懸濁液に含まれている異物をそれぞれ示している。
【０００６】
２は、シ−ト１を載せると共に、シ−ト１を加熱する第１の部材（加熱部材）で、第１の部材２には下側にヒ−タ−21が取り付けられ、第１の部材２の上面には、第１の部材２の上面に開口した開口部22を有している。
この開口部22は、第１の部材２に設けたエア−を吸引するエア−吸引通路23に連通している。なお、このエア−吸引通路23は、より詳しくは、一端を開口部22に連通する通路を第１の部材２の内部に設けられ、図示しない真空ポンプに接続されている。
また、開口部22は、図４に示すように、第１の部材２上のシ−ト１の中心よりはシ−ト１の外周に近い側に位置し、例えば、複数、より具体的には、４個設けられ、エア−吸引通路23は開口部22に連通するように環状に設けられた環状部23ａと、この環状部23ａに連通する直線部23ｂを有している。
【０００７】
また、３は第２の部材（押え部材）で、第２の部材３は、第１の部材２に対向し、第１の部材２上のシ−ト１に当接するものである。そして、４は、第１の部材２上のシ−ト１に第２の部材３を当接、離間させる移動手段で、移動手段４は、例えば、図示しないシリンダ−により進退するロッド41（図２参照）により第２の部材３を昇降させて、第１の部材２上のシ−ト１を第２の部材３に当接、離間させるようにしている。なお、移動手段４によるシ−ト１の第２の部材３と第１の部材２で挟んだ状態の度合い（圧力の程度）は、適宜設定できるようになっている。
また、本実施例にあっては、第１の部材２に接続されたロッド41の進退により第１の部材２を昇降するようにしたが、本発明にあっては、これに限らず、逆に、第１の部材２を固定し、図示しない昇降手段により第２の部材３を昇降させるようにしても良い。
【０００８】
31は、図３に示すように、シ−ト１を第１の部材２と第２の部材３で挟んだ状態で加熱する際、生じる水蒸気を吸引力により、加熱面より排気する排気通路である。
【０００９】
従って、シ−ト加熱装置Ａにおいては、図示しないシ−ト搬送手段によりシ−ト１が第１の部材２上に置かれる（図１参照）。第１の部材２上にシ−ト１が置かれたことを図示しないセンサ−が検知し、昇降手段４によりロッド41が延びて第１の部材２が第２の部材３に向かって上昇し、第２の部材３がシ−ト１に当接する状態で停止する。
次に、シ−ト１を第２の部材３と第１の部材２で挟んだ状態で加熱してシ−ト１を乾燥させる（図２参照）。
【００１０】
その後、第１の部材２は第２の部材３より離れるように下降するように移動する。第１の部材２の面上からシ−ト１を取り出す際、開口部22のエア−の吸引により、第１の部材２の面にシ−ト１を確実に吸着させ、しかも、エア−によるためシ−ト１の面への損傷を減少させることができ、更に、開口部22は、第１の部材２上のシ−ト１の中心よりはシ−ト１の外周に近い側に位置するため、シ−ト１を第２の部材３と第１の部材２で挟んだ状態で加熱する際、シ−ト１面に開口部22に起因する損傷が生じても、該損傷の部位はシ−ト１の中心よりはシ−ト１の外周に近い側に位置するため、パルプ懸濁液の状態識別に際し、損傷部位がシ−トの中心に位置するものに比べ、パルプ懸濁液の状態識別に支障を避けることができ、より正確なパルプ懸濁液の状態を識別することができる。
そして、シート１の加熱、乾燥後、図示しない搬送手段により、第１の部材２の面上からシ−ト１が取り除かれ、次のシート１が置かれるように待機するようになっている。
【００１１】
【発明の効果】
請求項１記載のシ−ト加熱装置によれば、シ−トを第１の部材と第２の部材で挟んだ状態で加熱して前記シ−トを乾燥させ、昇降手段により第１の部材と第２の部材とが離れるように移動させて、第１の部材の面上からシ−トを取り出す際、開口部のエア−の吸引により、第１の部材の面にシ−トを確実に吸着させ、後のシートの搬送工程に支障を与えないと共に、エア−による吸着のため、シ−ト面への損傷をも減少させることができ、また、開口部は、第１の部材上のシ−トの中心よりは前記シ−トの外周に近い側に位置するため、シ−トを第１の部材と第２の部材で挟んだ状態で加熱する際、シ−ト面に開口部に起因する損傷が生じても、該損傷の部位はシ−トの中心よりはシ−トの外周に近い側に位置するため、パルプ懸濁液の状態識別に際し、損傷部位がシ−トの中心に位置するものに比べ、パルプ懸濁液の状態識別に支障を避けることができ、より正確なパルプ懸濁液の状態を識別することができる。
【図面の簡単な説明】
【図１】図１は、本発明の一実施例のシ−ト加熱装置の概略的断面図である。
【図２】図２は、図１の第１の部材が上昇し、シ−トを加熱している状態を示す概略的断面図である。
【図３】図３は、図２の第１の部材面上のシ−トを加熱した後、第１の部材が降下した状態を示す概略的断面図である。
【図４】図４は、図３の第１の部材の概略的断面図である。
【図５】図５は、図３の第１の部材の開口部からのエア−の吸引によりシ−トが第１の部材に吸着された状態を示す概略的断面図である。
【図６】図６は、図１のシ−ト加熱装置で加熱、乾燥されたシ−トの概略的斜視図である。
【符号の説明】
Ａ  ・・・・・シ−ト加熱装置
１  ・・・・・シ−ト
２  ・・・・・第１の部材
３  ・・・・・第２の部材
４  ・・・・・移動手段
22  ・・・・・開口部
23  ・・・・・エア−吸引通路
【図１】
0003866992.tif 000002
【図２】
0003866992.tif 000003
【図３】
0003866992.tif 000004
【図４】
0003866992.tif 000005
【図５】
0003866992.tif 000006
【図６】
0003866992.tif 000007